(57)【要約】【課題】グラビアロールによりラミネート材に転写したホットメルト接着剤に糸引き現象が生じないホットメルト接着剤転写用グラビアロールを提供する。【解決手段】ホットメルト接着剤転写用グラビアロール(1)に形成せられている網目状のセル(2)の形状が菱形であって、対向する２つの角の１つ(A)がロール(1)の回転方向側に、他の１つの角(B)がロール(1)の回転方向の反対側にあり、2つの角(A) (B)の角度がともに１４０゜である。【選択図】    図１
2014172037.tif 000002
【特許請求の範囲】
【請求項１】
グラビアロールに形成せられている網目状のセルの形状が菱形かまたは六角形であって、対向する２つの角の１つがロールの回転方向側に、他の１つの角がロールの回転方向の反対側にあり、2つの角の角度がともに1２0゜〜160゜であるホットメルト接着剤転写用グラビアロール。
【請求項２】
セルの深さが０．０５mm〜０．２mmである請求項１記載のホットメルト接着剤転写用グラビアロール。
【請求項３】
セル間の土手部の幅が０．０1mm〜０．１０mmである請求項１または2記載のホットメルト接着剤転写用グラビアロール。
【発明の詳細な説明】
【技術分野】
【０００１】
本発明は、ホットメルト接着剤転写用グラビアロールに関する。
【背景技術】
【０００２】
ヨーグルト等の食品用コップ状容器の蓋材として、高分子材料とアルミニウム箔を張り合わせたラミネート材が用いられており、ラミネート材の熱封緘材層の形成にはホットメルト接着剤が使用されている。このホットメルト接着剤は、シール剤として融点が比較的低く、融解させてグラビアロールで転写して塗布することが多い。
【先行技術文献】
【特許文献】
【０００３】
【特許文献１】特許第2587986号公報
【発明の概要】
【発明が解決しようとする課題】
【０００４】
食品用コップ状容器の蓋材に使用せられるホットメルト接着剤は、エチレン−酢酸ビニル共重合体(EVA)、ワックス、粘着付与剤およびその他微量の添加剤からなるものが殆どであるが、要求せられる性能によって様々な組み合わせで構成せられる。ところが、耐熱性などの要求性能によっては、ホットメルト接着剤の粘度の高いものが必要となり、グラビアロールではホットメルト接着剤の塗布が困難になることがある。何故なら、グラビアロールからラミネート材にホットメルト接着剤を転写するさいに、その粘度の高さから、ロールの回転方向に糸を引いてしまうからである。何故なら、グラビアロールには、上記特許文献に開示されているように、正方形の網目状のセルが設けられており、このセルの中にホットメルト接着剤を充填してラミネート材に転写するのであるが、転写するさいに網目状のセルを区画する土手からの切れが悪く、ロールの回転によって引きずられて糸を引いてしまう。このように糸を引くと、転写後のホットメルト接着剤は滑らかなゆるい山状にはならずに鋭角に上向きに尖った形状になる(図５参照)。すると、鋭角に上向きに尖った形状は、製品をコイル状に巻いた際に総厚が厚くなって取り扱い難いという欠点があった。また、糸引きが発生すると、糸状になったホットメルト接着剤がラミネート材の表面に付着したり、鋭角状のホットメルト接着剤が後工程で削られて異物となってしまうという不具合があった。
【０００５】
要するに、グラビアロールのセルの回転方向反対側の角度が120゜未満であると、転写したホットメルト接着剤に上記糸引き現象が生じ易い。
【０００６】
本発明の目的は、グラビアロールによりラミネート材に転写したホットメルト接着剤に糸引き現象が生じないホットメルト接着剤転写用グラビアロールを提供することにある。
【課題を解決するための手段】
【０００７】
請求項１の発明によるホットメルト接着剤転写用グラビアロールは、グラビアロールに形成せられている網目状のセルの形状が菱形かまたは六角形であって、対向する２つの角の１つがロールの回転方向側に、他の１つの角がロールの回転方向の反対側にあり、2つの角の角度がともに1２0゜〜160゜であるものである。
【０００８】
上記角の角度が1２0゜未満であると、グラビアロールからラミネート材にホットメルト接着剤を転写するさいに、ロールの回転方向に糸を引く可能性があ            り、160゜を超えるとホットメルト接着剤を転写するさいに網目状セルを区画する土手部からの切れが悪く、ロールの回転によって引きずられ、セル形状が崩れ易くなる。
請求項２の発明は、請求項１記載のホットメルト接着剤転写用グラビアロールにおいて、セルの深さが０．０５mm〜０．２mmであるものである。
【０００９】
上記セルの深さが０．０５mm未満であると、ホットメルト接着剤の転写量が少なくなり、シール強度が低下し、０．２mmを超えると、セルの容積が増大するため、ホットメルト接着剤の転写量が多く、シール強度が不必要に大きくなり、コスト高を招く。
【００１０】
請求項3の発明は、請求項１または2記載のホットメルト接着剤転写用グラビアロールにおいて、セル間の土手部の幅が０．０1mm〜０．１０mmであるものである。
【００１１】
土手部の幅が０．０1mm未満であってもまた０．１０mmを超えてもホットメルト接着剤のラミネート材に対する塗布量が不均一になる。
【発明の効果】
【００１２】
本発明によるホットメルト接着剤転写用グラビアロールは、グラビアロールに形成せられている網目状のセルの形状が菱形かまたは六角形であって、対向する２つの角の１つがロールの回転方向側に、他の１つの角がロールの回転方向の反対側にあり、2つの角の角度がともに1２0゜〜160゜であるから、グラビアロールからラミネート材にホットメルト接着剤を転写するさいに、その粘度が高くてもロールの回転方向に糸を引くことがないから、糸引き現象の結果生じる諸々の問題点がなくなる。
【図面の簡単な説明】
【００１３】
【図１】網目状のセルの形状が菱形である本発明のグラビアロールの展開部分平面図である。
【図２】図１のII−II線にそう拡大断面図である。
【図３】網目状のセルの形状が六角である本発明のグラビアロールの展開部分平面図である。
【図４】本発明のグラビアロールが用いられてラミネート材に熱封緘材層が形成された蓋材の部分拡大断面図である。
【図５】従来のグラビアロールが用いられてラミネート材に熱封緘材層が形成された蓋材の部分拡大断面図である。
【発明を実施するための形態】
【００１４】
図１および図２は、ホットメルト接着剤転写用グラビアロール(1)に形成せられている網目状のセル(2)の形状が菱形のものを示し、対向する２つの角の１つ(A)がロール(1)の回転方向側に、他の１つの角(B)がロール(1)の回転方向の反対側にあり、2つの角(A) (B)の角度がともに１４０゜である。そして、セル(2)の深さ(C)は０．１５mmである。また、土手部(３)の幅は０．２mmである。
【００１５】
図3は、ホットメルト接着剤転写用グラビアロール(４)に形成せられている網目状のセル(５)の形状が六角形のものを示し、対向する２つの角の１つ(D)がロール(４)の回転方向側に、他の１つの角(E)がロール(４)の回転方向の反対側にあり、2つの角(D) (E)の角度がともに１４５゜である。そして、セル(５)の深さは、図２のものと同様に０．１５  mmである。また、土手部(６)の幅は０．２mmである。
【００１６】
いま、厚さ１2μmのポリエチレンテレフタレートフィルム(７)の片面に厚さ30μmのアルミニウム箔(８)をポリウレタン系ドライラミネート系接着剤で貼り合わせて基材層とした。つぎに、アルミニウム箔(８)の表面に厚さ２０μmのポリエチレンフィルム(９)を前記と同様の接着剤で接着して中間樹脂層を形成し、その上に網目状のセル(2)の形状が菱形のホットメルト接着剤転写用グラビアロール(1)を用い、粘度が１５０゜Cで６０００mPa・sのホットメルト接着剤を転写して熱封緘材層(１０)を形成した。このようにして得られた基材層、中間樹脂層および熱封緘材層(１０)よりなる積層体により食品用コップ状容器の蓋材を形成した。転写後のホットメルト接着剤は、網目状のセル(2)に対応する部分が図４に示すように滑らかなゆるい山状部(１０a)となる。
【００１７】
ところが、正方形の網目状のセルが設けられている従来のグラビアロールでホットメルト接着剤を転写して熱封緘材層(１１)を形成すると、転写するさいに網目状のセルを区画する土手からの切れが悪く、ロールの回転によって引きずられて糸を引いてしまうので、転写後のホットメルト接着剤は図５に示すように鋭角に上向きに尖った形状の山状部(１１a)となる。
【符号の説明】
【００１８】
(１) (４)  ホットメルト接着剤転写用グラビアロール
(２) (５)  網目状のセル
(３) (６)  セル間の土手部
(A)(B)(D) (E)  セルの対向する角
(C)  セルの深さ 
【図１】
2014172037.tif 000003
【図２】
2014172037.tif 000004
【図３】
2014172037.tif 000005
【図４】
2014172037.tif 000006
【図５】
2014172037.tif 000007